(57)【要約】【課題】記入者が入力の誤りに対する描画情報を即座に消去することができる入力表示装置を提供する。【解決手段】記入者（２００）が表示部の記入表示領域（２１）に対して手つきしながらペン先または指先による入力操作を行なった場合、その入力操作により描画情報が記入表示領域（２１）に表示される。そこで、記入者（２００）は、その入力操作に対して誤りに気付いた場合、その入力操作が終了してから、所定時間内に、記入者（２００）が手でタッチする入力操作を行なう。このとき、所定時間内の入力操作に対する消去対象領域（２２）が記入表示領域（２１）の少なくとも一部に重なっている場合、記入表示領域（２１）に表示された描画情報（１００「ＡＢＣＤＥ」）のうちの、消去対象領域（２２）に表示された描画情報（１０１「ＤＥ」）を消去する。【選択図】図４
2020024766.tif 000002
【特許請求の範囲】
【請求項１】
表示部と、入力検知部と、制御部とを備えた入力表示装置において、
前記制御部は、
描画情報を前記表示部に表示し、
前記入力検知部により複数の位置の入力が同時に検知された場合、前記検知された位置で囲まれる矩形領域に少なくとも重なる描画情報に対して処理を実行する
ことを特徴とする入力表示装置。
【請求項２】
入力検知部からのペン先又は１本の指先による描画入力に応じて描画情報を生成する描画情報生成部を更に備えることを特徴とする請求項１に記載の入力表示装置。
【請求項３】
前記制御部は、前記処理として前記描画情報を削除する処理を実行することを特徴とする請求項１又は２に記載の入力表示装置。
【請求項４】
表示部と、入力検知部とを備えた入力表示装置における制御方法であって、
描画情報を前記表示部に表示するステップと、
前記入力検知部により複数の位置の入力が同時に検知された場合、前記検知された位置で囲まれる矩形領域に少なくとも重なる描画情報に対して処理を実行するステップと、
を含むことを特徴とする制御方法。
【発明の詳細な説明】
【技術分野】
【０００１】
本発明は、記入者が入力した箇所に描画情報を表示する入力表示装置及び制御方法に関する。
【背景技術】
【０００２】
近年、教室やオフィスでは、インタラクティブ・ホワイトボード（Interactive Whiteboard）（通称：ＩＷＢ）を含む電子黒板が使用されている。その電子黒板では、記入者（例えば、教室の場合は先生）がペン先または記入者の指先により文字や絵などの描画情報をボードに入力したときに、その入力箇所に描画情報を周囲の視聴者（例えば、教室の場合は生徒）に向けて表示部に表示する。
【０００３】
一方、記入者は、表示部に表示された描画情報を消去したい場合、アプリケーションのメニューから消去する機能を選択して実行することにより、その描画情報を消去することができる。
【０００４】
しかし、記入者がペン先または指先により入力しているときに、その入力の誤りに気付いた場合、その入力により表示部に表示された描画情報を即座に消去したいことがある。この場合でも、記入者は、アプリケーションのメニューから消去する機能を選択する操作が必要となる。そのため、記入者が入力の誤りに対する描画情報を即座に消去したい場合には、記入者への負担が大きい。
【０００５】
特許文献１、２には、表示部に対する動作モードを、記入者の入力に対して描画情報を表示部に表示する描画モードと、表示部に表示された描画情報を消去する消去モードとを切り替える技術が開示されている。
【０００６】
特許文献１に記載されたタッチパネル入力装置は、記入者が操作子を接触するための表示部と、表示部に対する操作子の接触を接触情報として検出するセンサ部と、センサ部からの接触情報に基づいて、表示部に対する操作子の接触面積を取得するセンサ情報取得部と、操作子の接触面積が閾値以下であるか否かを判定する操作子識別部と、操作子識別部の判定結果に基づいて、表示部に対する動作モードを、操作子としてペンが表示部に接触した描画モード、または、操作子として記入者の指が表示部に接触した消去モードに切り替える操作子処理部と、を具備している。操作子処理部は、判定結果として操作子の接触面積が閾値以下である場合、動作モードを描画モードに設定し、描画モードにおいて、記入者がペンにより入力した接触情報を描画情報として表示部に表示する第１操作子処理部と、判定結果として操作子の接触面積が閾値以下ではない場合、動作モードを消去モードに設定し、消去モードにおいて、記入者が指により入力した接触情報に基づいて描画情報を消去する第２操作子処理部と、を具備している。第２操作子処理部は、消去モードにおいて、表示部に対する記入者の指の接触位置に消しゴムを表示する拡張処理部を具備している。
【０００７】
特許文献２に記載されたペン入力装置は、表示部と、記入者がペンで任意の位置を指示するためのタッチパネルと、表示部に対するペンの接触面積を検出する接触面積検出部と、ペンの接触面積が、ペンに設けられた第１のペン先または第２のペン先であるかを判定するペン先判別部と、ペン先判別部の判定結果に基づいて、表示部に対する動作モードを、第１のペン先が表示部に接触した描画モード、または、第２のペン先が表示部に接触した消去モードに切り替える制御部と、を具備している。制御部は、判定結果としてペンの接触面積が第１のペン先である場合、動作モードを描画モードに設定し、描画モードにおいて、記入者が第１のペン先により入力した情報を描画情報として表示部に表示する第１制御部と、判定結果としてペンの接触面積が第２のペン先である場合、動作モードを消去モードに設定し、消去モードにおいて、記入者が第２のペン先により入力した情報に基づいて描画情報を消去する第２制御部と、を具備している。第１のペン先は、ペンの一端部に設けられている。第２のペン先は、ペンの他端部に設けられ、その太さが第１のペン先よりも太い。
【先行技術文献】
【特許文献】
【０００８】
【特許文献１】特開２０１２−２５２６５２号公報
【特許文献２】特開平７−２００１３３号公報
【発明の概要】
【発明が解決しようとする課題】
【０００９】
特許文献１に記載された技術では、上述のように、指示媒体（操作子）がペン先である場合には、表示部に対する動作モードを描画モードに設定し、指示媒体が指先である場合には、表示部に対する動作モードを消去モードに設定している。しかしながら、特許文献１に記載された技術では、記入者が手つきをしながらペン先により入力操作を行なう状況では、対応することができない。ここで、手つきとは、表示部に対して手の腹などが触れる現象である。
【００１０】
また、特許文献１に記載された技術では、指示媒体（操作子）の接触面積が閾値以下ではない場合、動作モードを消去モードに設定する。このため、表示部に不意に指などが触れてしまうような手つきがあった場合には、動作モードが消去モードに設定され、表示部に表示された描画情報が意図せずに消去されてしまう可能性がある。
【００１１】
特許文献２に記載された技術では、上述のように、表示部に対する動作モードを描画モードに設定したい場合には、記入者は、ペンの先端を第１のペン先から第２のペン先に切り替えるように、ペンを持ち替えている。しかしながら、特許文献２に記載された技術でも、記入者が手つきをしながらペン先により入力操作を行なう状況では、対応することができない。
【００１２】
また、特許文献１に記載された技術では、表示部に対する動作モードを描画モードに設定したい場合には、記入者はペンを持ち替えるため、記入者が入力の誤りに対する描画情報を即座に消去したい状況には、対応することができない。
【００１３】
本発明は、上記従来の問題点に鑑みてなされたものであって、記入者が処理対象とする描画情報を容易に選択することができる入力表示装置及び制御方法を提供することを目的とする。
【課題を解決するための手段】
【００１４】
上述した課題に鑑み、本発明の入力表示装置は、
表示部と、入力検知部と、制御部とを備えた入力表示装置において、
前記制御部は、
描画情報を前記表示部に表示し、
前記入力検知部により複数の位置の入力が同時に検知された場合、前記検知された位置で囲まれる矩形領域に少なくとも重なる描画情報に対して処理を実行する
ことを特徴とする。
【００１５】
本発明の制御方法は、
表示部と、入力検知部とを備えた入力表示装置における制御方法であって、
描画情報を前記表示部に表示するステップと、
前記入力検知部により複数の位置の入力が同時に検知された場合、前記検知された位置で囲まれる矩形領域に少なくとも重なる描画情報に対して処理を実行するステップと、
を含むことを特徴とする。
【発明の効果】
【００１６】
本発明によれば、記入者が処理対象とする描画情報を容易に選択することができる。
【図面の簡単な説明】
【００１７】
【図１】本発明の第１実施形態に係る入力表示装置１の構成を示す図である。
【図２】本発明の第１実施形態に係る入力表示装置１を説明するための図である。
【図３】本発明の第１実施形態に係る入力表示装置１を説明するための図である。
【図４】本発明の第１実施形態に係る入力表示装置１を説明するための図である。
【図５】本発明の第１実施形態に係る入力表示装置１を説明するための図である。
【図６】指示媒体がペン先を表す図である。
【図７】指示媒体が記入者の指先を表す図である。
【図８】手つきを説明するための図である。
【図９】手つきを説明するための図である。
【図１０】本発明の第１実施形態に係る入力表示装置１の動作（入力表示処理）を示すフローチャートである。
【図１１】本発明の第１実施形態に係る入力表示装置１の動作（入力表示処理）を示すフローチャートである。
【図１２】図１１のステップＳ１１３の処理を示すフローチャートである。
【図１３】図１１のステップＳ１１３の処理を説明するための図である。
【図１４】図１１のステップＳ１１６の処理を説明するための図である。
【図１５】本発明の第２実施形態に係る入力表示装置１を説明するための図である。
【図１６】本発明の第２実施形態に係る入力表示装置１を説明するための図である。
【図１７】記入者２００が５本の指でタッチした場合において、図１１のステップＳ１１３の処理を示すフローチャートである。
【図１８】記入者２００が５本の指でタッチしたときの外接矩形領域を示し、図１１のステップＳ１１３の処理を説明するための図である。
【図１９】記入者２００が２本の指でタッチした場合において、図１１のステップＳ１１３の処理を示すフローチャートである。
【図２０】記入者２００が２本の指でタッチしたときの外接矩形領域を示し、図１１のステップＳ１１３の処理を説明するための図である。
【図２１】本発明の第３実施形態に係る入力表示装置１の構成を示す図である。
【図２２】本発明の第３実施形態に係る入力表示装置１を説明するための図である。
【図２３】本発明の第３実施形態に係る入力表示装置１を説明するための図である。
【図２４】本発明の第３実施形態に係る入力表示装置１の動作（入力表示処理）を示すフローチャートである。
【図２５】本発明の第３実施形態に係る入力表示装置１の動作（入力表示処理）を示すフローチャートである。
【発明を実施するための形態】
【００１８】
以下、図面を参照しながら本発明の実施形態について説明する。
【００１９】
［第１実施形態］
図１は、本発明の第１実施形態に係る入力表示装置１の構成を示す図である。入力表示装置１は、表示装置２と、記憶装置３と、制御装置４とを具備している。
【００２０】
表示装置２は、電子黒板やＩＷＢとして使用される。その表示装置２は、表示部１１と、複数のセンサ１２とを備えている。
【００２１】
表示部１１は、液晶ディスプレイ（ＬＣＤ；Liquid Crystal Display）である。その表示部１１は、地面に対して垂直あるいは垂直に近い状態で設置される。または、テーブルのように、地面に対して水平或いは水平に近い状態で設置される。表示部１１は、後述の描画情報を表示するための表示領域２０を有する。
【００２２】
センサ１２は、表示部１１にマトリクス状に配置されている。そのセンサ１２は、記入者が指示媒体（ペン先または記入者の指先）を用いて表示部１１に対して入力操作を行なったときに、表示部１１に対する記入者の入力を検出することができる。
【００２３】
センサ１２としては、静電容量センサ、光センサが例示される。静電容量センサは、例えば表示部１１上に４０９６×２１６０に配置されることにより表示部１１にマトリクス状に配置され、所定距離以下に近接した指示媒体（ペン先または記入者の指先）を検出する。座標としては、表示領域２０の左上の角を（０、０）とし、右下の角を（４０９５、２１５９）として座標が設定され、それぞれの座標に対して容量が検出される。光センサは、表示部１１の各画素に内蔵されることにより表示部１１にマトリクス状に配置され、表示部１１に接触する指示媒体（ペン先または記入者の指先）を検出する。
【００２４】
制御装置４は、センサ駆動部４１と、入力座標検知部４２と、形状判定部４３と、動作モード切替処理部４４と、描画情報生成部４５と、表示制御部４６と、タッチ認識処理部４７と、消去モード移行処理部４８と、消去制御部４９と、これらの構成要素を制御するＣＰＵ（図示しない）とを備えている。センサ駆動部４１は、複数のセンサ１２を駆動する。タッチ認識処理部４７は、消去入力処理部４７ａを備えている。記憶装置３にはコンピュータが実行可能なコンピュータプログラムが格納され、ＣＰＵはそのコンピュータプログラムを読み出して実行する。制御装置４の各構成要素については後述する。
【００２５】
図２〜図５は、本発明の第１実施形態に係る入力表示装置１を説明するための図である。図６は、指示媒体がペン先を表す図である。図７は、指示媒体が記入者の指先を表す図である。図８及び図９は、手つきを説明するための図である。
【００２６】
図２に示されるように、いま、記入者２００が、電子黒板やＩＷＢとして使用される表示部１１に対して入力操作を行なっている状態である。この入力操作に基づいて、制御装置４の動作としては、描画入力判定モード、描画モード、消去入力判定モード、消去モードに分けられる。
【００２７】
（描画入力判定モード）
入力座標検知部４２は、記入者２００がペン先２０１（図６参照）または指先２０３（図７参照）により表示部１１に対して入力操作を行なったときに、複数のセンサ１２のうちの、記入者２００の入力を検出したセンサ群１２の位置の座標をそれぞれ表す第１入力座標情報群を出力する。
【００２８】
形状判定部４３は、第１入力座標情報群の中から、その座標により形成される形状がペン先２０１または記入者２００の指先２０３を表す描画入力座標情報群「ＡＢＣＤＥ」と、その座標により形成される形状が記入者２００の手つき２０２（図６参照）を表す手つき入力座標情報群とを判定し、それらを表す判定結果を出力する。
【００２９】
ここで、手つき２０２とは、表示部１１に対して手の腹などが触れる現象である。具体的には、形状判定部４３は、例えば、検出された形状の面積の値を第１設定値と比較し、検出された形状の面積の値が第１設定値以下の場合はペン先２０１または指先２０３であるものと判定し、検出された形状の面積の値が第１設定値よりも大きい場合は手つき２０２であるものと判定する。ここで、第１設定値とは、ペン先２０１または指先２０３と想定される大きさの上限値である。
【００３０】
検出した形状は、図８に示されるように、Ｘ座標の最小値「Ｘｈｍｉｎ」、最大値「Ｘｈｍａｘ」、Ｙ座標の最小値「Ｙｈｍｉｎ」、最大値「Ｙｈｍａｘ」に基づいて、Ｙ軸方向の長さがＸ軸方向の長さよりも長い場合に縦長と判定し、図９に示されるように、Ｙ軸方向の長さがＸ軸方向の長さよりも短い場合に横長と判定する。
【００３１】
動作モード切替処理部４４は、形状判定部４３の判定結果が描画入力座標情報群を表していない場合、または、手つき入力座標情報群のみを表している場合、表示部１１に対する動作モードを描画入力判定モードに再度設定する。例えば、記入者２００が表示部１１に対して手つき２０２をしただけの場合、動作モード切替処理部４４は、表示部１１に対する動作モードを描画入力判定モードに再度設定する。
【００３２】
一方、図２に示されるように、動作モード切替処理部４４は、形状判定部４３の判定結果が描画入力座標情報群「ＡＢＣＤＥ」と手つき入力座標情報群との両方を表している場合、表示部１１に対する動作モードを描画モード（手つき有り描画処理）に設定する。例えば、記入者２００が表示部１１に対して手つき２０２をしながらペン先２０１により入力操作（いわゆる、ペンダウン）を行なっている場合、動作モード切替処理部４４は、表示部１１に対する動作モードを描画モード（手つき有り描画処理）に設定する。
【００３３】
または、動作モード切替処理部４４は、描画入力座標情報群「ＡＢＣＤＥ」のみを表している場合、表示部１１に対する動作モード（手つき無し描画処理）を描画モードに設定する。例えば、記入者２００が表示部１１に対して手つき２０２無しでペン先２０１または指先２０３により入力操作（いわゆる、ペンダウン、または、タッチダウン）を行なっている場合、動作モード切替処理部４４は、表示部１１に対する動作モードを描画モード（手つき無し描画処理）に設定する。
【００３４】
（描画モード）
図２に示されるように、描画情報生成部４５は、描画入力座標情報群「ＡＢＣＤＥ」に基づいて、記入者２００が表示部１１に対して手つき２０２有りでペン先２０１により入力した情報を表す描画情報１００を生成する（手つき有り描画処理）。
【００３５】
または、描画情報生成部４５は、描画入力座標情報群「ＡＢＣＤＥ」に基づいて、記入者２００が表示部１１に対して手つき２０２無しでペン先２０１または指先２０３により入力した情報を表す描画情報１００を生成する（手つき無し描画処理）。
【００３６】
表示制御部４６は、手つき有り描画処理、または、手つき無し描画処理において、表示部１１の表示領域２０のうちの、描画入力座標情報群「ＡＢＣＤＥ」の座標を含む記入表示領域２１に描画情報１００を表示する。
【００３７】
ここで、記憶装置３は、手書きされた情報、表示方向、グラフ情報等の描画情報を記憶する描画記憶領域と、一時的に描画情報にオーバーラップしてメニューを表示するメニュー操作処理に関する情報を記憶するメニュー記憶領域とを有している。メニュー記憶領域は描画記憶領域とは別レイヤーである。そして、描画情報生成部４５は、自身による描画処理に基づいて、表示部１１に表示する内容を記憶している記憶装置３の描画記憶領域の内容を更新し、タッチ認識処理部４７によるメニュー操作処理に基づいて、表示部１１に表示する内容を記憶している記憶装置３のメニュー記憶領域の内容を更新する。
【００３８】
メニューは、表示部１１の表示領域２０以外の表示領域（図示しない）に表示される。メニューの表示領域は、例えば、表示部１１の左端の領域に各種アイコンにより表示される。タッチ認識処理部４７は、メニュー操作処理において、記入者２００が各種アイコンのうちの選択されたアイコンを手でタッチしたときに、そのアイコンに応じた処理を行なう。本実施形態では、メニュー操作処理の説明については省略する。
【００３９】
図３に示されるように、動作モード切替処理部４４は、形状判定部４３の判定結果が描画入力座標情報群と手つき入力座標情報群との両方を表していない場合、表示部１１に対する動作モードを描画モード（手つき有り描画処理）から消去入力判定モードに移行する。例えば、記入者２００が表示部１１に対して手つき２０２有りでペン先２０１により入力操作（ペンダウン）を行なっていたが、記入者２００がペン先２０１による入力操作をやめて（いわゆる、ペンアップ）、更に、手つき２０２もやめた場合、動作モード切替処理部４４は、手つき２０２が認識されなくなったタイミングで、表示部１１に対する動作モードを描画モード（手つき有り描画処理）から消去入力判定モードに移行する。
【００４０】
または、動作モード切替処理部４４は、形状判定部４３の判定結果が描画入力座標情報群を表していない場合、表示部１１に対する動作モードを描画モード（手つき無し描画処理）から消去入力判定モードに移行する。例えば、記入者２００が表示部１１に対して手つき２０２無しでペン先２０１または指先２０３により入力操作（ペンダウン、または、タッチダウン）を行なっていたが、記入者２００がペン先２０１または指先２０３による入力操作をやめた場合（いわゆる、ペンアップ、または、タッチアップ）、動作モード切替処理部４４は、ペン先２０１または指先２０３による入力が認識されなくなったタイミングで、表示部１１に対する動作モードを描画モード（手つき無し描画処理）から消去入力判定モードに移行する。
【００４１】
（消去入力判定モード）
タッチ認識処理部４７の消去入力処理部４７ａは、記入者２００がペン先２０１または指先２０３により表示部１１に対する入力操作が終了してから、所定時間内（例えば、１秒以内）に、記入者２００が表示部１１に対して入力操作を行なったか否かを判定する。
【００４２】
図４に示されるように、タッチ認識処理部４７の消去入力処理部４７ａは、記入者２００の入力が終了してから所定時間内に記入者２００の入力があった場合、複数のセンサ１２のうちの、記入者２００の入力を検出したセンサ群１２の位置の座標をそれぞれ表す第２入力座標情報群を出力する。例えば、記入者２００が表示部１１に対してペン先２０１による入力操作をやめて（ペンアップ）、手つき２０２もやめてから、所定時間内に、記入者２００が表示部１１に対して手でタッチした場合、第２入力座標情報群を出力する。すなわち、第２入力座標情報群は、複数のセンサ１２のうちの、記入者２００が手でタッチしたときに検出したセンサ群１２の位置の座標をそれぞれ表している。
【００４３】
図４に示されるように、消去モード移行処理部４８は、記入者２００の入力が終了してから所定時間内に記入者２００の入力があったときに、第２入力座標情報群の座標を含む消去対象領域２２が記入表示領域２１の少なくとも一部に重なっている場合、表示部１１に対する動作モードを消去入力判定モードから消去モードに移行する。消去対象領域２２は、記入者２００が手でタッチした領域である。
【００４４】
一方、記入者２００の入力が終了してから所定時間を超えた場合、消去入力処理部４７ａは、その旨を動作モード切替処理部４４に通知し、動作モード切替処理部４４は、表示部１１に対する動作モードを描画入力判定モードに設定する。
【００４５】
また、消去対象領域２２が記入表示領域２１の少なくとも一部に重なっていない場合、その旨を動作モード切替処理部４４に通知し、動作モード切替処理部４４は、表示部１１に対する動作モードを描画入力判定モードに設定する。
【００４６】
（消去モード）
図４に示されるように、消去制御部４９は、記入表示領域２１に表示された描画情報１００のうちの、消去対象領域２２に表示された描画情報１０１を消去する。例えば、図５に示されるように、描画情報１００として「ＡＢＣＤＥ」が表示された記入表示領域２１に対して、描画情報１０１として「ＤＥ」が表示された消去対象領域２２が重なっているため、消去制御部４９は、描画情報１００「ＡＢＣＤＥ」のうちの描画情報１０１「ＤＥ」を消去する（消去処理）。消去処理の結果、図５に示されるように、記入表示領域２１に表示された描画情報１００は「ＡＢＣ」となる。
【００４７】
図１０、図１１は、本発明の第１実施形態に係る入力表示装置１の動作（入力表示処理）を示すフローチャートである。
【００４８】
ここで、本発明の第１実施形態に係る入力表示装置１の動作としては、上述のように、表示部１１の表示領域２０に描画情報１００を表示する入力表示処理と、一時的に描画情報１００にオーバーラップしてメニュー（図示しない）を表示するメニュー表示処理と、が挙げられる。
【００４９】
ここでは、前者の入力表示処理について詳細に説明する。また、指示媒体はペン先２０１であるものとする。
【００５０】
入力表示処理としては、上述のように、描画入力判定モード（ステップＳ１１）、描画モード（ステップＳ１２）、消去入力判定モード（ステップＳ１３）、消去モード（ステップＳ１４）に分けられる。
【００５１】
（ステップＳ１１；描画入力判定モード）
ステップＳ１０１では、入力座標検知部４２は、複数のセンサ１２により記入者２００の入力を検出したか否かを判断する。ここで、入力座標検知部４２は、記入者２００の入力を検出しない場合（ステップＳ１０１−Ｎｏ）、ステップＳ１０１を繰り返す。一方、入力座標検知部４２は、記入者２００の入力を検出した場合（ステップＳ１０１−Ｙｅｓ）、複数のセンサ１２のうちの、記入者２００の入力を検出したセンサ群１２の位置の座標をそれぞれ表す第１入力座標情報群を出力する。その後、入力表示処理はステップＳ１０２へと進む。
【００５２】
ステップＳ１０２では、形状判定部４３は、第１入力座標情報群の中から、その座標により形成される形状がペン先２０１（図６参照）を表す描画入力座標情報群と、その座標により形成される形状が記入者２００の手つき２０２（図６参照）を表す手つき入力座標情報群とを判定し、それらを表す判定結果を出力する。描画入力座標情報群、及び、手つき入力座標情報群は１つの入力としてカウントされ、そのカウント値が入力数として判定結果に反映される。
【００５３】
例えば、記入者２００の入力としてペン先２０１だけ検出された場合、判定結果は、入力数として「１」を表し、その内容として「ペン先２０１（描画入力座標情報群）」を表している。記入者２００の入力として手つき２０２だけ検出された場合、判定結果は、入力数として「１」を表し、その内容として「手つき２０２（手つき入力座標情報群）」を表している。記入者２００の入力としてペン先２０１と手つき２０２との両方が検出された場合、判定結果は、入力数として「２」を表し、その内容として、「ペン先２０１（描画入力座標情報群）」、及び、「手つき２０２（手つき入力座標情報群）」を表している。その後、入力表示処理はステップＳ１０３へと進む。
【００５４】
ステップＳ１０３では、形状判定部４３は、ペン先２０１や手つき２０２の大きさ、すなわち、描画入力座標情報群や手つき入力座標情報群により形成される形状の面積を検出する。この検出（判定）については、図８、図９と同様に、Ｘ座標の最小値「Ｘｈｍｉｎ」、最大値「Ｘｈｍａｘ」、Ｙ座標の最小値「Ｙｈｍｉｎ」、最大値「Ｙｈｍａｘ」により表される。その後、入力表示処理はステップＳ１０４へと進む。
【００５５】
ステップＳ１０４では、動作モード切替処理部４４は、形状判定部４３の判定結果の入力数が「１」であるか否かを判断する。判定結果の入力数が「１」である場合（ステップＳ１０４−Ｙｅｓ）にはステップＳ１０９へと進む。判定結果の入力数が「１」ではない場合（ステップＳ１０４−Ｎｏ）にはステップＳ１０５へと進む。
【００５６】
ステップＳ１０５では、動作モード切替処理部４４は、形状判定部４３の判定結果の入力数が「２」であるか否かを判断する。判定結果の入力数が「２」である場合（ステップＳ１０５−Ｙｅｓ）にはステップＳ１０６へと進む。判定結果の入力数が「２」ではない場合（ステップＳ１０５−Ｎｏ）、動作モード切替処理部４４は、表示部１１に対する動作モードを描画入力判定モードに再度設定する。この場合、入力表示処理はステップＳ１０１に戻る。
【００５７】
ステップＳ１０６では、動作モード切替処理部４４は、形状判定部４３の判定結果の内容が「ペン先２０１（描画入力座標情報群）」及び「手つき２０２（手つき入力座標情報群）」であるか否かを判断する。判定結果の内容が「ペン先２０１（描画入力座標情報群）」及び「手つき２０２（手つき入力座標情報群）」ではない場合（ステップＳ１０６−Ｎｏ）、動作モード切替処理部４４は、表示部１１に対する動作モードを描画入力判定モードに再度設定する。この場合、入力表示処理はステップＳ１０１に戻る。判定結果の内容が「ペン先２０１（描画入力座標情報群）」及び「手つき２０２（手つき入力座標情報群）」である場合（ステップＳ１０６−Ｙｅｓ）、動作モード切替処理部４４は、表示部１１に対する動作モードを描画モード（ステップＳ１２）の手つき有り描画処理に設定する。この場合、入力表示処理はステップＳ１０７へと進む。
【００５８】
ステップＳ１０９では、動作モード切替処理部４４は、形状判定部４３の判定結果の内容が「手つき２０２（手つき入力座標情報群）」であるか否かを判断する。判定結果の内容が「手つき２０２（手つき入力座標情報群）」である場合（ステップＳ１０９−Ｙｅｓ）、動作モード切替処理部４４は、表示部１１に対する動作モードを描画入力判定モードに再度設定する。この場合、入力表示処理はステップＳ１０１に戻る。判定結果の内容が「手つき２０２（手つき入力座標情報群）」ではない場合（ステップＳ１０９−Ｎｏ）、動作モード切替処理部４４は、表示部１１に対する動作モードを描画モード（ステップＳ１２）の手つき無し描画処理に設定する。この場合、入力表示処理はステップＳ１１０へと進む。
【００５９】
（ステップＳ１２；描画モード）
ステップＳ１０７では、描画情報生成部４５は、描画入力座標情報群「ＡＢＣＤＥ」（図２参照）に基づいて、記入者２００が表示部１１に対して手つき２０２有りでペン先２０１（ペンダウン）により入力した情報を表す描画情報１００を生成する（手つき有り描画処理）。表示制御部４６は、手つき有り描画処理において、表示部１１の表示領域２０のうちの、描画入力座標情報群「ＡＢＣＤＥ」の座標を含む記入表示領域２１に描画情報１００を表示する。記入者２００がペン先２０１による入力操作をやめて（ペンアップ）、更に、手つき２０２もやめるまで（ステップＳ１０８−Ｎｏ）、ステップＳ１０７（手つき有り描画処理）は継続する。
【００６０】
ステップＳ１０８では、動作モード切替処理部４４は、描画モード（手つき有り描画処理）において、形状判定部４３の判定結果の内容が「ペン先２０１（描画入力座標情報群）」及び「手つき２０２（手つき入力座標情報群）」ではない場合、表示部１１に対する動作モードを描画モード（手つき有り描画処理）から消去入力判定モードに移行する。すなわち、記入者２００がペン先２０１による入力操作をやめて（ペンアップ）、更に、手つき２０２もやめた場合（図３参照）、動作モード切替処理部４４は、手つき２０２が認識されなくなったタイミングで、表示部１１に対する動作モードを描画モード（手つき有り描画処理）から消去入力判定モード（ステップＳ１３）に移行する。その後、入力表示処理はステップＳ１１２へと進む。
【００６１】
ステップＳ１１０では、描画情報生成部４５は、描画入力座標情報群「ＡＢＣＤＥ」（図２参照）に基づいて、記入者２００が表示部１１に対して手つき２０２無しでペン先２０１（ペンダウン）により入力した情報を表す描画情報１００を生成する（手つき無し描画処理）。表示制御部４６は、手つき無し描画処理において、表示部１１の表示領域２０のうちの、描画入力座標情報群「ＡＢＣＤＥ」の座標を含む記入表示領域２１に描画情報１００を表示する。記入者２００がペン先２０１による入力操作をやめるまで（ペンアップするまで）（ステップＳ１１１−Ｎｏ）、ステップＳ１１０（手つき無し描画処理）は継続する。
【００６２】
ステップＳ１１１では、動作モード切替処理部４４は、描画モード（手つき無し描画処理）において、形状判定部４３の判定結果の内容が「ペン先２０１（描画入力座標情報群）」ではない場合、表示部１１に対する動作モードを描画モード（手つき無し描画処理）から消去入力判定モードに移行する。すなわち、記入者２００がペン先２０１による入力操作をやめた場合（ペンアップ）（図３参照）、動作モード切替処理部４４は、ペン先２０１が認識されなくなったタイミングで、表示部１１に対する動作モードを描画モード（手つき無し描画処理）から消去入力判定モード（ステップＳ１３）に移行する。その後、入力表示処理はステップＳ１１２へと進む。
【００６３】
（ステップＳ１３；消去入力判定モード）
ステップＳ１１２では、タッチ認識処理部４７の消去入力処理部４７ａは、記入者２００による入力が終了したため、記入者２００がペン先２０１により表示部１１に対する入力操作が終了してから、所定時間内に、記入者２００が表示部１１に対して手でタッチしたか否かを判定する。ここで、所定時間内に記入者２００の入力が無い場合（ステップＳ１１２−Ｎｏ）、入力表示処理は終了する。一方、所定時間内に記入者２００が表示部１１に対して手でタッチした場合（図４参照）（ステップＳ１１２−Ｙｅｓ）、消去対象の可能性があるため、消去入力処理部４７ａは、複数のセンサ１２のうちの、記入者２００の入力を検出したセンサ群１２の位置の座標をそれぞれ表す第２入力座標情報群を出力する。この場合、入力表示処理はステップＳ１１３へと進む。
【００６４】
ステップＳ１１３では、消去モード移行処理部４８は、第２入力座標情報群の座標を含む消去対象領域２２が直近の入力（記入表示領域２１）の少なくとも一部に重なっているか否かを判定する。ここで、消去対象領域２２が直近の記入表示領域２１に重なっていない場合、入力表示処理は終了する。一方、消去対象領域２２が直近の記入表示領域２１に重なっている場合（ステップＳ１１３−Ｙｅｓ）、消去モード移行処理部４８は、直近に入力された該当箇所を消去する入力と判定し、消去モードをオンする（ステップＳ１１４）。すなわち、表示部１１に対する動作モードを消去入力判定モードから消去モード（ステップＳ１４）に移行する。この場合、入力表示処理はステップＳ１１５へと進む。
【００６５】
ステップＳ１１３における直近の入力（記入表示領域２１）との重なり判定については後述する。
【００６６】
（ステップＳ１４；消去モード）
ステップＳ１１５では、消去制御部４９は、入力誤りに対する消去を想定して、消去する入力（第２入力座標情報群）に対して第１のＩＤを付与する。ここで、消去制御部４９は、最初にステップＳ１１５へ進んだときに入力（第２入力座標情報群）に対して第１のＩＤを付与する。この場合、入力表示処理はステップＳ１１６へと進む。継続して同じＩＤ（第１のＩＤ）で入力（第２入力座標情報群）が有る場合は、消去処理がまだ完了していないため、ステップＳ１１６へと進む。一方、消去制御部４９は、第１のＩＤとは異なるＩＤ（第２のＩＤ）で入力（第２入力座標情報群）が有る場合は、消去処理が完了したため、ステップＳ１１８へと進む。
【００６７】
ステップＳ１１６では、消去制御部４９は、入力（第２入力座標情報群）に対する大きさを検出する。入力誤りに対する消去を考えた場合、消去対象は、最も直近で入力が行われた付近が有力候補となる。そのため、１画面分のデータを全て探索する必要はない。そこで、消去制御部４９は、直近の入力座標から所定領域を消去対象領域２２として絞り込む。その後、入力表示処理はステップＳ１１７へと進む。
【００６８】
ステップＳ１１６における入力（第２入力座標情報群）に対する消去対象領域２２の絞り込みについては後述する。
【００６９】
ステップＳ１１７では、消去制御部４９は、記入表示領域２１に表示された描画情報１００「ＡＢＣＤＥ」のうちの、消去対象領域２２に表示された描画情報１０１「ＤＥ」を消去する（消去処理）。ここで、消去制御部４９は、消去処理がまだ完了していない場合、入力（第２入力座標情報群）に対するＩＤを継続したまま、入力表示処理はステップＳ１１５に戻る。一方、消去制御部４９は、消去処理が完了した場合、入力（第２入力座標情報群）に対して第２のＩＤを付与し、入力表示処理はステップＳ１１５に戻る。
【００７０】
ステップＳ１１８では、消去制御部４９は、消去モードをオフし、表示部１１に対する動作モードを消去モードから消去入力判定モード（ステップＳ１１）に移行する。この場合、入力表示処理は終了する。
【００７１】
なお、消去入力判定モード（ステップＳ１３）において、所定時間内に他の入力がある場合（ステップＳ１１２−Ｎｏ）、または、直近の記入表示領域２１に他の入力が重なっていない場合（ステップＳ１１３−Ｎｏ）は、入力表示処理を終了後、描画入力判定モード（ステップＳ１１）に戻る。
【００７２】
次に、ステップＳ１１３における直近の入力（記入表示領域２１）との重なり判定について説明する。
【００７３】
図１２は、図１１のステップＳ１１３の処理を示すフローチャートである。図１３は、図１１のステップＳ１１３の処理を説明するための図である。
【００７４】
図１３に示されるように、例えば、描画情報１００「ＡＢＣＤＥ」が表示された記入表示領域２１のうちの、描画情報１０２「ＣＤＥ」が表示された直近の記入表示領域（以下、直近記入表示領域２１ａ）に対して、記入者２００がペン先２０１による入力操作が終了してから、所定時間内に、記入者２００が手でタッチしたときに、タッチ認識処理部４７の消去入力処理部４７ａは、記入者２００のタッチに応じて第２入力座標情報群を出力したものとする。このとき、動作モード切替処理部４４は、全てのタッチ座標（第２入力座標情報群）を検出する（ステップＳ１１３１）。
【００７５】
次に、動作モード切替処理部４４は、直近記入表示領域２１ａの描画入力座標情報群「ＣＤＥ」に対して、表示部１１に表示する内容を記憶している記憶装置３の描画記憶領域からＸ座標の最小値「ＲｅｃＭｉｎＸ」、最大値「ＲｅｃＭａｘＸ」、Ｙ座標の最小値「ＲｅｃＭｉｎＹ」、最大値「ＲｅｃＭａｘＹ」を検出する。また、動作モード切替処理部４４は、全てのタッチ座標（第２入力座標情報群）に対して、Ｘ座標の最小値「ＭｉｎＸ」、最大値「ＭａｘＸ」、Ｙ座標の最小値「ＭｉｎＹ」、最大値「ＭａｘＹ」を検出する（ステップＳ１１３２）。
【００７６】
次に、動作モード切替処理部４４は、所定時間内のタッチ座標（第２入力座標情報群）を含む領域であるタッチ領域２３が直近記入表示領域２１ａの少なくとも一部に重なっているか否かを判定する（ステップＳ１１３３）。
【００７７】
ここで、条件として、ＲｅｃＭｉｎＸ≦ＭｉｎＸ≦ＲｅｃＭａｘＸ、かつ、ＲｅｃＭｉｎＹ≦ＭｉｎＹ≦ＲｅｃＭａｘＹ、または、ＲｅｃＭｉｎＸ≦ＭａｘＸ≦ＲｅｃＭａｘＸ、かつ、ＲｅｃＭｉｎＹ≦ＭａｘＹ≦ＲｅｃＭａｘＹであれば、所定時間内のタッチ領域２３と直近記入表示領域２１ａは重なりあう（ステップＳ１１３３−Ｙｅｓ）。すなわち、ステップＳ１１３の処理において、Ｓ１１３−Ｙｅｓとなる。この場合、動作モード切替処理部４４は、タッチ領域２３を消去対象領域２２とし、消去モードをオンする（ステップＳ１１４）。
【００７８】
一方、上記以外の条件では、所定時間内のタッチ領域２３と直近記入表示領域２１ａは重なりあわない（ステップＳ１１３３−Ｎｏ）。すなわち、ステップＳ１１３の処理において、Ｓ１１３−Ｎｏとなる。
【００７９】
次に、ステップＳ１１６における入力（第２入力座標情報群）に対する消去対象領域２２の絞り込みについて説明する。
【００８０】
図１４は、図１１のステップＳ１１６の処理を説明するための図である。
【００８１】
例えば、描画情報１００「ＡＢＣＤＥ」が表示された記入表示領域２１のうちの、描画情報１０２「ＣＤＥ」が表示された直近記入表示領域２１ａに対して、記入者２００がペン先２０１による入力操作が終了してから、所定時間内に、記入者２００が記入表示領域２１の少なくとも一部に手でタッチしたときに、動作モード切替処理部４４は、記入者２００のタッチに応じて消去対象領域２２を検出したものとする（図１３参照）。
【００８２】
消去制御部４９は、直近記入表示領域２１ａに対する描画入力座標情報群「ＣＤＥ」の座標のうちの直近の入力座標（以下、直近入力座標２４）を始点とする設定領域（設定画素分）をタッチ検出領域（以下、絞込消去対象領域２２ａ）とし、消去対象領域２２の絞り込みを行なう。この場合、現実的には、ディスプレイサイズの１／４以上離れたところを消去するとは考えづらいため、例えば、直近の入力座標に対して、設定画素は、Ｘ方向に４８０画素（１９２０画素の１／４）、Ｙ方向に２７０画素（１０８０画素の１／４）であるものとする。この設定画素分を消去モード時のタッチ検出領域（絞込消去対象領域２２ａ）として設定することにより、システムとしての処理負荷の軽減と、処理追従性を損なわない構成とすることができる。
【００８３】
図１４に示されるように、消去制御部４９は、直近記入表示領域２１ａに対する描画入力座標情報群「ＣＤＥ」の座標のうちの、直近入力座標２４を始点とする設定領域「ＤＥ」をタッチ検出領域（絞込消去対象領域２２ａ）とし、消去対象領域２２の絞り込みを行なう。消去制御部４９は、絞込消去対象領域２２ａに表示された描画情報１０１「ＤＥ」を消去する。消去処理の結果、記入表示領域２１に表示された描画情報１００は「ＡＢＣ」となる。
【００８４】
以上の説明により、本発明の第１実施形態に係る入力表示装置１では、入力座標検知部４２は、複数のセンサ１２のうちの、記入者２００の入力を検出したセンサ群１２の位置の座標をそれぞれ表す第１入力座標情報群を出力する（図１０のＳ１０１−Ｙｅｓ）。形状判定部４３は、第１入力座標情報群の中から、その座標により形成される形状がペン先２０１または記入者２００の指先２０３を表す描画入力座標情報群「ＡＢＣＤＥ」と、その座標により形成される形状が記入者２００の手つき２０２を表す手つき入力座標情報群とを判定し、それらを表す判定結果を出力する（図１０のＳ１０２〜Ｓ１０６、Ｓ１０９）。描画情報生成部４５は、形状判定部４３の判定結果が少なくとも描画入力座標情報群「ＡＢＣＤＥ」を表している場合（図１０のＳ１０６−Ｙｅｓ）（図１０のＳ１０９−Ｎｏ）、描画入力座標情報群「ＡＢＣＤＥ」に基づいて、表示部１１に対して記入者２００により入力された情報を表す描画情報１００を生成する（図１０のＳ１０７）（図１０のＳ１１０）。表示制御部４６は、表示部１１の表示領域２０のうちの、描画入力座標情報群「ＡＢＣＤＥ」の座標を含む記入表示領域２１に描画情報１００を表示する（図１０のＳ１０７）（図１０のＳ１１０）。消去入力処理部４７ａは、記入者２００の入力が終了してから所定時間内に記入者２００の入力がある場合（図１１のＳ１１２−Ｙｅｓ）、複数のセンサ１２のうちの、記入者２００の入力を検出したセンサ群１２の位置の座標をそれぞれ表す第２入力座標情報群を出力する。消去制御部４９は、第２入力座標情報群の座標を含む消去対象領域２２が記入表示領域２１の少なくとも一部に重なっている場合（図１１のＳ１１３−Ｙｅｓ）、記入表示領域２１に表示された描画情報１００「ＡＢＣＤＥ」のうちの、消去対象領域２２に表示された描画情報１０１「ＤＥ」を消去する（図１１のＳ１１５〜Ｓ１１８）。
【００８５】
このように、本発明の第１実施形態に係る入力表示装置１では、記入者２００が表示部１１の記入表示領域２１に対して手つき２０２有りでペン先２０１または指先２０３による入力操作を行なった場合、その入力操作により描画情報が表示部１１の記入表示領域２１に表示される。そこで、記入者２００は、その入力操作に対して誤りに気付いた場合、その入力操作が終了してから、所定時間内に、記入者２００が手でタッチすることによる入力操作を行なう。このとき、所定時間内の入力操作に対する消去対象領域２２が記入表示領域２１の少なくとも一部に重なっている場合、記入表示領域２１に表示された描画情報１００「ＡＢＣＤＥ」のうちの、消去対象領域２２に表示された描画情報１０１「ＤＥ」を消去する。このため、本発明の第１実施形態に係る入力表示装置１によれば、記入者２００が手つき２０２をしながら入力操作を行なう状況でも対応することができ、記入者２００が入力の誤りに対する描画情報１０１「ＤＥ」を即座に消去することができる。
【００８６】
［第２実施形態］
図１１は、本発明の第２実施形態に係る入力表示装置１の構成を示す図である。第２実施形態では第１実施形態からの変更点のみ説明する。
【００８７】
図１５、図１６は、本発明の第２実施形態に係る入力表示装置１を説明するための図である。
【００８８】
図１５に示されるように、記入者２００が表示部１１に対して指先２０３により入力操作（タッチダウン）を行なっているものとする。次に、図１６に示されるように、記入者２００が表示部１１に対して指先２０３により入力操作（タッチダウン）を行なっていたが、記入者２００が指先２０３による入力操作をやめてから（タッチアップ）、所定時間内に、記入者２００が表示部１１に対して複数本の指でタッチしたものとする。この場合、消去対象領域２２は、記入表示領域２１のうちの、記入者２００が複数本の指でタッチしたときの外接矩形領域である。消去処理では、記入表示領域２１に表示された描画情報１００「ＡＢＣＤＥ」のうちの、消去対象領域２２（外接矩形領域）に表示された描画情報１０３「Ｅ」が消去される（図１６を参照）。
【００８９】
図１７は、記入者２００が５本の指でタッチした場合において、図１１のステップＳ１１３の処理を示すフローチャートである。図１８は、記入者２００が５本の指でタッチしたときの外接矩形領域を示し、図１１のステップＳ１１３の処理を説明するための図である。
【００９０】
図１８に示されるように、例えば、描画情報１００「ＡＢＣＤＥ」が表示された記入表示領域２１のうちの、描画情報１０２「ＣＤＥ」が表示された直近記入表示領域２１ａに対して、記入者２００が指先２０３による入力操作が終了してから、所定時間内に、記入者２００が５本の指でタッチしたときに、タッチ認識処理部４７の消去入力処理部４７ａは、記入者２００のタッチに応じて第２入力座標情報群を出力したものとする。このとき、動作モード切替処理部４４は、５本の指により各々が隣接しない５個のタッチ座標（第２入力座標情報群）を検出する（ステップＳ１１３１）。
【００９１】
次に、動作モード切替処理部４４は、直近記入表示領域２１ａの描画入力座標情報群「ＡＢＣＤＥ」に対して、表示部１１に表示する内容を記憶している記憶装置３の描画記憶領域からＸ座標の最小値「ＲｅｃＭｉｎＸ」、最大値「ＲｅｃＭａｘＸ」、Ｙ座標の最小値「ＲｅｃＭｉｎＹ」、最大値「ＲｅｃＭａｘＹ」を検出する。また、動作モード切替処理部４４は、５個のタッチ座標（第２入力座標情報群）に対して、Ｘ座標の最小値「ＭｉｎＸ」、最大値「ＭａｘＸ」、Ｙ座標の最小値「ＭｉｎＹ」、最大値「ＭａｘＹ」を検出する（ステップＳ１１３２）。
【００９２】
次に、動作モード切替処理部４４は、Ｘ座標の最小値「ＭｉｎＸ」、最大値「ＭａｘＸ」、Ｙ座標の最小値「ＭｉｎＹ」、最大値「ＭａｘＹ」に基づいて、５本の指で構成される外接矩形領域を検出する。すなわち、Ｘ座標の最小値「ＭｉｎＸ」、最大値「ＭａｘＸ」、Ｙ座標の最小値「ＭｉｎＹ」、最大値「ＭａｘＹ」で構成される外接矩形領域２５を検出する（ステップＳ１１３４）。
【００９３】
次に、動作モード切替処理部４４は、所定時間内の外接矩形領域２５が直近記入表示領域２１ａの少なくとも一部に重なっているか否かを判定する（ステップＳ１１３３）。
【００９４】
ここで、条件として、ＲｅｃＭｉｎＸ≦ＭｉｎＸ≦ＲｅｃＭａｘＸ、かつ、ＲｅｃＭｉｎＹ≦ＭｉｎＹ≦ＲｅｃＭａｘＹ、または、ＲｅｃＭｉｎＸ≦ＭａｘＸ≦ＲｅｃＭａｘＸ、かつ、ＲｅｃＭｉｎＹ≦ＭａｘＹ≦ＲｅｃＭａｘＹであれば、所定時間内の外接矩形領域２５と直近記入表示領域２１ａは重なりあう（ステップＳ１１３３−Ｙｅｓ）。すなわち、ステップＳ１１３の処理において、Ｓ１１３−Ｙｅｓとなる。この場合、動作モード切替処理部４４は、外接矩形領域２５を消去対象領域２２とし、消去モードをオンする（ステップＳ１１４）。
【００９５】
消去モード（消去処理）において、消去制御部４９は、記入表示領域２１に表示された描画情報１００「ＡＢＣＤＥ」のうちの、消去対象領域２２（外接矩形領域２５）に表示された描画情報１０３「Ｅ」を消去する（図１８を参照）。消去処理の結果、記入表示領域２１に表示された描画情報１００は「ＡＢＣＤ」となる。
【００９６】
一方、上記以外の条件では、所定時間内の外接矩形領域２５と直近記入表示領域２１ａは重なりあわない（ステップＳ１１３３−Ｎｏ）。すなわち、ステップＳ１１３の処理において、Ｓ１１３−Ｎｏとなる。
【００９７】
図１９は、記入者２００が２本の指でタッチした場合において、図１１のステップＳ１１３の処理を示すフローチャートである。図２０は、記入者２００が２本の指でタッチしたときの外接矩形領域を示し、図１１のステップＳ１１３の処理を説明するための図である。
【００９８】
図２０に示されるように、例えば、描画情報１００「ＡＢＣＤＥ」が表示された記入表示領域２１のうちの、描画情報１０２「ＣＤＥ」が表示された直近記入表示領域２１ａに対して、記入者２００が指先２０３による入力操作が終了してから、所定時間内に、記入者２００が２本の指でタッチしたときに、タッチ認識処理部４７の消去入力処理部４７ａは、記入者２００のタッチに応じて第２入力座標情報群を出力したものとする。このとき、動作モード切替処理部４４は、２本の指により各々が隣接しない２個のタッチ座標（第２入力座標情報群）を検出する（ステップＳ１１３１）。
【００９９】
次に、動作モード切替処理部４４は、直近記入表示領域２１ａの描画入力座標情報群「ＡＢＣＤＥ」に対して、表示部１１に表示する内容を記憶している記憶装置３の描画記憶領域からＸ座標の最小値「ＲｅｃＭｉｎＸ」、最大値「ＲｅｃＭａｘＸ」、Ｙ座標の最小値「ＲｅｃＭｉｎＹ」、最大値「ＲｅｃＭａｘＹ」を検出する。また、動作モード切替処理部４４は、２個のタッチ座標（第２入力座標情報群）に対して、Ｘ座標の最小値「ＭｉｎＸ」、最大値「ＭａｘＸ」、Ｙ座標の最小値「ＭｉｎＹ」、最大値「ＭａｘＹ」を検出する（ステップＳ１１３２）。
【０１００】
次に、動作モード切替処理部４４は、Ｘ座標の最小値「ＭｉｎＸ」、最大値「ＭａｘＸ」、Ｙ座標の最小値「ＭｉｎＹ」、最大値「ＭａｘＹ」に基づいて、２本の指で構成される外接矩形領域を検出する。すなわち、Ｘ座標の最小値「ＭｉｎＸ」、最大値「ＭａｘＸ」、Ｙ座標の最小値「ＭｉｎＹ」、最大値「ＭａｘＹ」で構成される外接矩形領域２６を検出する（ステップＳ１１３５）。
【０１０１】
次に、動作モード切替処理部４４は、所定時間内の外接矩形領域２６が直近記入表示領域２１ａの少なくとも一部に重なっているか否かを判定する（ステップＳ１１３３）。
【０１０２】
ここで、条件として、ＲｅｃＭｉｎＸ≦ＭｉｎＸ≦ＲｅｃＭａｘＸ、かつ、ＲｅｃＭｉｎＹ≦ＭｉｎＹ≦ＲｅｃＭａｘＹ、または、ＲｅｃＭｉｎＸ≦ＭａｘＸ≦ＲｅｃＭａｘＸ、かつ、ＲｅｃＭｉｎＹ≦ＭａｘＹ≦ＲｅｃＭａｘＹであれば、所定時間内の外接矩形領域２６と直近記入表示領域２１ａは重なりあう（ステップＳ１１３３−Ｙｅｓ）。すなわち、ステップＳ１１３の処理において、Ｓ１１３−Ｙｅｓとなる。この場合、動作モード切替処理部４４は、外接矩形領域２６を消去対象領域２２とし、消去モードをオンする（ステップＳ１１４）。
【０１０３】
消去モード（消去処理）において、消去制御部４９は、記入表示領域２１に表示された描画情報１００「ＡＢＣＤＥ」のうちの、消去対象領域２２（外接矩形領域２６）に表示された描画情報１０３「Ｅ」を消去する（図２０を参照）。消去処理の結果、記入表示領域２１に表示された描画情報１００は「ＡＢＣＤ」となる。
【０１０４】
一方、上記以外の条件では、所定時間内の外接矩形領域２６と直近記入表示領域２１ａは重なりあわない（ステップＳ１１３３−Ｎｏ）。すなわち、ステップＳ１１３の処理において、Ｓ１１３−Ｎｏとなる。
【０１０５】
以上の説明により、本発明の第２実施形態に係る入力表示装置１では、消去対象領域２２は、記入表示領域２１のうちの、記入者２００が複数本の指でタッチしたときの外接矩形領域２５、２６である。消去制御部４９は、消去対象領域２２が記入表示領域２１の少なくとも一部に重なっている場合（図１１のＳ１１３−Ｙｅｓ）、記入表示領域２１に表示された描画情報１００「ＡＢＣＤＥ」のうちの、消去対象領域２２に表示された描画情報１０３「Ｅ」を消去する（図１１のＳ１１５〜Ｓ１１８）。
【０１０６】
このように、本発明の第２実施形態に係る入力表示装置１では、記入者２００が表示部１１の記入表示領域２１に対して手つき２０２有りでペン先２０１または指先２０３による入力操作を行なった場合、その入力操作により描画情報が表示部１１の記入表示領域２１に表示される。そこで、記入者２００は、その入力操作に対して誤りに気付いた場合、その入力操作が終了してから、所定時間内に、記入者２００が手でタッチすることによる入力操作を行なう。このとき、所定時間内の入力操作に対する消去対象領域２２が記入表示領域２１の少なくとも一部に重なっている場合、記入表示領域２１に表示された描画情報１００「ＡＢＣＤＥ」のうちの、消去対象領域２２に表示された描画情報１０３「Ｅ」を消去する。このため、本発明の第２実施形態に係る入力表示装置１によれば、記入者２００が手つき２０２をしながら入力操作を行なう状況でも対応することができ、記入者２００が入力の誤りに対する描画情報１０３「Ｅ」を即座に消去することができる。
【０１０７】
［第３実施形態］
図１５は、本発明の第３実施形態に係る入力表示装置１の構成を示す図である。第３実施形態では第１実施形態、第２実施形態からの変更点のみ説明する。
【０１０８】
図２１は、本発明の第３実施形態に係る入力表示装置１の構成を示す図である。
【０１０９】
制御装置４は、形状判定部４３に代えて、第１形状判定部５１と、第２形状判定部５２とを備えている。これらの構成要素については後述する。
【０１１０】
図２２、図２３は、本発明の第３実施形態に係る入力表示装置１を説明するための図である。
【０１１１】
図２２に示されるように、記入者２００が表示部１１に対して手つき２０２有りでペン先２０１により入力操作（ペンダウン）を行なっているものとする。次に、図２３に示されるように、記入者２００が表示部１１に対して手つき２０２有りでペン先２０１により入力操作（ペンダウン）を行なっていたが、記入者２００がペン先２０１による入力操作をやめて（ペンアップ）、更に、手つき２０２もやめてから、所定時間内に、記入者２００が表示部１１に対して手つき２０２無しでペン先２０１または指先２０３（図２３では指先２０３）により入力操作（ペンダウン、または、タッチダウン）を行なったものとする。本発明の第３実施形態に係る入力表示装置１では、記入者２００が表示部１１に対して手つき２０２無しで入力操作を行なった場合に、消去モードに移行する。
【０１１２】
図２４、図２５は、本発明の第３実施形態に係る入力表示装置１の動作（入力表示処理）を示すフローチャートである。
【０１１３】
入力表示処理としては、第１実施形態と同様に、描画入力判定モード（ステップＳ１１）、描画モード（ステップＳ１２）、消去入力判定モード（ステップＳ１３）、消去モード（ステップＳ１４）に分けられる。
【０１１４】
（ステップＳ１１；描画入力判定モード）
第３実施形態では、第１実施形態と同じステップＳ１０１〜Ｓ１０６が実行される。ここで、第１形状判定部５１は、第１実施形態における形状判定部４３と同じ機能である。第３実施形態では、判定結果の入力数が「１」である場合（ステップＳ１０４−Ｙｅｓ）にステップＳ１０１に戻ることが第１実施形態と異なる。したがって、第３実施形態では、第１実施形態におけるステップＳ１０９の処理が実行されない。
【０１１５】
（ステップＳ１２；描画モード）
第３実施形態では、第１実施形態と同じステップＳ１０７〜Ｓ１０８が実行される。第３実施形態では、第１実施形態におけるステップＳ１０９の処理が実行されないため、第１実施形態におけるステップＳ１１０、Ｓ１１１の処理が実行されない。
【０１１６】
（ステップＳ１３；消去入力判定モード）
ステップＳ１１２では、タッチ認識処理部４７の消去入力処理部４７ａは、記入者２００による入力が終了したため、記入者２００が表示部１１に対して手つき２０２有りでペン先２０１による入力操作（ペンダウン）が終了してから、所定時間内に、記入者２００が表示部１１に対して手つき２０２無しでペン先２０１または指先２０３による入力操作（ペンダウン、または、タッチダウン）を行なったか否かを判定する。ここで、所定時間内に記入者２００の入力が無い場合（ステップＳ１１２−Ｎｏ）、入力表示処理は終了する。一方、所定時間内に記入者２００が表示部１１に対して手つき２０２無しでペン先２０１または指先２０３による入力操作（ペンダウン、または、タッチダウン）を行なった場合（図２３参照）（ステップＳ１１２−Ｙｅｓ）、消去対象の可能性があるため、消去入力処理部４７ａは、複数のセンサ１２のうちの、記入者２００の入力を検出したセンサ群１２の位置の座標をそれぞれ表す第２入力座標情報群を出力する。この場合、入力表示処理はステップＳ３０１へと進む。
【０１１７】
ステップＳ３０１では、第２形状判定部５２は、第２入力座標情報群の中から、その座標により形成される形状がペン先２０１または指先２０３（図２３参照）を表す消去入力座標情報群と、その座標により形成される形状が記入者２００の手つき２０２を表す手つき入力座標情報群とを判定し、それらを表す判定結果を出力する。消去入力座標情報群、及び、手つき入力座標情報群は１つの入力としてカウントされ、そのカウント値が入力数として判定結果に反映される。
【０１１８】
例えば、記入者２００の入力として指先２０３だけ検出された場合、判定結果は、入力数として「１」を表し、その内容として「指先２０３（消去入力座標情報群）」を表している。記入者２００の入力として手つき２０２だけ検出された場合、判定結果は、入力数として「１」を表し、その内容として「手つき２０２（手つき入力座標情報群）」を表している。記入者２００の入力として指先２０３と手つき２０２との両方が検出された場合、判定結果は、入力数として「２」を表し、その内容として、「指先２０３（消去入力座標情報群）」、及び、「手つき２０２（手つき入力座標情報群）」を表している。その後、入力表示処理はステップＳ３０２へと進む。
【０１１９】
ステップＳ３０２では、第２形状判定部５２は、指先２０３や手つき２０２の大きさ、すなわち、消去入力座標情報群や手つき入力座標情報群により形成される形状の面積を検出する。この検出（判定）については、図８、図９と同様に、Ｘ座標の最小値「Ｘｈｍｉｎ」、最大値「Ｘｈｍａｘ」、Ｙ座標の最小値「Ｙｈｍｉｎ」、最大値「Ｙｈｍａｘ」により表される。その後、入力表示処理はステップＳ３０３へと進む。
【０１２０】
ステップＳ３０３では、消去モード移行処理部４８は、第２形状判定部５２の判定結果の入力数が「１」であるか否かを判断する。判定結果の入力数が「１」である場合（ステップＳ３０３−Ｙｅｓ）にはステップＳ３０４へと進む。判定結果の入力数が「１」ではない場合（ステップＳ３０３−Ｎｏ）、入力表示処理は終了する。
【０１２１】
ステップＳ３０４では、消去モード移行処理部４８は、第２形状判定部５２の判定結果の内容が「手つき２０２（手つき入力座標情報群）」を表さずに、「指先２０３（消去入力座標情報群）」のみ表しているか否かを判断する。判定結果の内容が「手つき２０２（手つき入力座標情報群）」を表している場合（ステップＳ３０４−Ｙｅｓ）、入力表示処理は終了する。判定結果の内容が「手つき２０２（手つき入力座標情報群）」を表さずに、「指先２０３（消去入力座標情報群）」のみ表している場合（ステップＳ３０４−Ｎｏ）、消去モード移行処理部４８は、直近に入力された該当箇所を消去する入力と判定し、消去モードをオンする（ステップＳ１１４）。すなわち、表示部１１に対する動作モードを消去入力判定モードから消去モード（ステップＳ１４）に移行する。この場合、入力表示処理はステップＳ１１５へと進む。
【０１２２】
（ステップＳ１４；消去モード）
第３実施形態では、第１実施形態と同じステップＳ１１５〜Ｓ１１８が実行される。この場合、消去制御部４９は、消去処理として、記入表示領域２１に表示された描画情報１００「ＡＢＣＤＥ」のうちの、消去入力座標情報群の座標を含む消去対象領域２２に表示された描画情報１０３「Ｅ」を消去する（図２３を参照）。消去処理の結果、記入表示領域２１に表示された描画情報１００は「ＡＢＣＤ」となる。
【０１２３】
以上の説明により、本発明の第３実施形態に係る入力表示装置１では、入力座標検知部４２は、複数のセンサ１２のうちの、記入者２００の入力を検出したセンサ群１２の位置の座標をそれぞれ表す第１入力座標情報群を出力する（図２４のＳ１０１−Ｙｅｓ）。第１形状判定部５１は、第１入力座標情報群の中から、その座標により形成される形状がペン先２０１または記入者２００の指先２０３を表す描画入力座標情報群「ＡＢＣＤＥ」と、その座標により形成される形状が記入者２００の手つき２０２を表す手つき入力座標情報群とを判定し、それらを表す判定結果を出力する（図２４のＳ１０２〜Ｓ１０６）。描画情報生成部４５は、第１形状判定部５１の判定結果が描画入力座標情報群「ＡＢＣＤＥ」と手つき入力座標情報群との両方を表している場合（図２４のＳ１０６−Ｙｅｓ）、描画入力座標情報群「ＡＢＣＤＥ」に基づいて、表示部１１に対して記入者２００により入力された情報を表す描画情報１００を生成する（図２４のＳ１０７）。表示制御部４６は、表示部１１の表示領域２０のうちの、描画入力座標情報群「ＡＢＣＤＥ」の座標を含む記入表示領域２１に描画情報１００を表示する（図２４のＳ１０７）。消去入力処理部４７ａは、記入者２００の入力が終了してから所定時間内に記入者２００の入力がある場合（図２５のＳ１１２−Ｙｅｓ）、複数のセンサ１２のうちの、記入者２００の入力を検出したセンサ群１２の位置の座標をそれぞれ表す第２入力座標情報群を出力する。第２形状判定部５２は、第２入力座標情報群の中から、その座標により形成される形状がペン先２０１または記入者２００の指先２０３を表す消去入力座標情報群と、手つき入力座標情報群とを判定し、それらを表す判定結果を出力する（図２５のＳ３０１〜Ｓ３０４）。消去制御部４９は、第２形状判定部５２の判定結果が手つき入力座標情報群を表さずに消去入力座標情報群のみ表している場合（図２５のＳ３０４−Ｎｏ）、記入表示領域２１に表示された描画情報１００「ＡＢＣＤＥ」のうちの、消去入力座標情報群の座標を含む消去対象領域２７に表示された描画情報１０３「Ｅ」を消去する（図２５のＳ１１５〜Ｓ１１８）。
【０１２４】
このように、本発明の第３実施形態に係る入力表示装置１では、記入者２００が表示部１１の記入表示領域２１に対して手つき２０２有りでペン先２０１または指先２０３による入力操作を行なった場合、その入力操作により描画情報が表示部１１の記入表示領域２１に表示される。そこで、記入者２００は、その入力操作に対して誤りに気付いた場合、その入力操作が終了してから、所定時間内に、記入者２００が表示部１１の記入表示領域２１に対して手つき２０２無しでペン先２０１または指先２０３による入力操作を行なう。この場合、記入表示領域２１に表示された描画情報１００「ＡＢＣＤＥ」のうちの、所定時間内の入力操作に対する消去対象領域２２に表示された描画情報１０３「Ｅ」を消去する。このため、本発明の第３実施形態に係る入力表示装置１によれば、記入者２００が手つき２０２をしながら入力操作を行なう状況でも対応することができ、記入者２００が入力の誤りに対する描画情報１０３「Ｅ」を即座に消去することができる。
【０１２５】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２６】
また、上述した実施形態において、第１の要旨では、入力表示装置は、表示部と、前記表示部に複数配置されたセンサと、前記複数のセンサのうちの、記入者の入力を検出したセンサ群の位置の座標をそれぞれ表す第１入力座標情報群を出力する入力座標検知部と、前記第１入力座標情報群の中から、その座標により形成される形状がペン先または前記記入者の指先を表す描画入力座標情報群と、その座標により形成される形状が前記記入者の手つきを表す手つき入力座標情報群とを判定し、それらを表す判定結果を出力する形状判定部と、前記形状判定部の判定結果が少なくとも前記描画入力座標情報群を表している場合、前記描画入力座標情報群に基づいて、前記表示部に対して前記記入者により入力された情報を表す描画情報を生成する描画情報生成部と、前記表示部の表示領域のうちの、前記描画入力座標情報群の座標を含む記入表示領域に前記描画情報を表示する表示制御部と、前記記入者の入力が終了してから所定時間内に前記記入者の入力がある場合、前記複数のセンサのうちの、前記記入者の入力を検出したセンサ群の位置の座標をそれぞれ表す第２入力座標情報群を出力する消去入力処理部と、前記第２入力座標情報群の座標を含む消去対象領域が前記記入表示領域の少なくとも一部に重なっている場合、前記記入表示領域に表示された前記描画情報のうちの、前記消去対象領域に表示された描画情報を消去する消去制御部と、を具備することを特徴としてもよい。
【０１２７】
本実施形態の第２の要旨では、第１の要旨に記載の入力表示装置において、前記第２入力座標情報群は、前記複数のセンサのうちの、前記記入者が手でタッチしたときに検出したセンサ群の位置の座標をそれぞれ表し、前記消去対象領域は、前記記入者が手でタッチした領域であることを特徴としてもよい。
【０１２８】
本実施形態の第３の要旨では、第１の要旨または第２の要旨に記載の入力表示装置において、前記消去制御部は、前記記入表示領域に表示された前記描画情報の座標のうちの、直近の入力座標を始点とする設定領域を前記消去対象領域とし、前記消去対象領域に表示された描画情報を消去することを特徴としてもよい。
【０１２９】
本実施形態の第４の要旨では、第２の要旨に記載の入力表示装置において、前記消去対象領域は、前記記入表示領域のうちの、前記記入者が複数本の指でタッチしたときの外接矩形領域であることを特徴としてもよい。
【０１３０】
本実施形態の第５の要旨では、入力表示装置は、表示部と、前記表示部に複数配置されたセンサと、前記複数のセンサのうちの、記入者の入力を検出したセンサ群の位置の座標をそれぞれ表す第１入力座標情報群を出力する入力座標検知部と、前記第１入力座標情報群の中から、その座標により形成される形状がペン先または前記記入者の指先を表す描画入力座標情報群と、その座標により形成される形状が前記記入者の手つきを表す手つき入力座標情報群とを判定し、それらを表す判定結果を出力する第１形状判定部と、前記第１形状判定部の判定結果が前記描画入力座標情報群と前記手つき入力座標情報群との両方を表している場合、前記描画入力座標情報群に基づいて、前記表示部に対して前記記入者により入力された情報を表す描画情報を生成する描画情報生成部と、前記表示部の表示領域のうちの、前記描画入力座標情報群の座標を含む記入表示領域に前記描画情報を表示する表示制御部と、前記記入者の入力が終了してから所定時間内に前記記入者の入力がある場合、前記複数のセンサのうちの、前記記入者の入力を検出したセンサ群の位置の座標をそれぞれ表す第２入力座標情報群を出力する消去入力処理部と、前記第２入力座標情報群の中から、その座標により形成される形状がペン先または前記記入者の指先を表す消去入力座標情報群と、前記手つき入力座標情報群とを判定し、それらを表す判定結果を出力する第２形状判定部と、前記第２形状判定部の判定結果が前記手つき入力座標情報群を表さずに前記消去入力座標情報群のみ表している場合、前記記入表示領域に表示された前記描画情報のうちの、前記消去入力座標情報群の座標を含む消去対象領域に表示された描画情報を消去する消去制御部と、を具備することを特徴としてもよい。
【０１３１】
本実施形態の第６の要旨では、表示部と前記表示部に複数配置されたセンサとを有する装置を用いた入力表示方法であって、前記複数のセンサのうちの、記入者の入力を検出したセンサ群の位置の座標をそれぞれ表す第１入力座標情報群を出力するステップと、前記第１入力座標情報群の中から、その座標により形成される形状がペン先または前記記入者の指先を表す描画入力座標情報群と、その座標により形成される形状が前記記入者の手つきを表す手つき入力座標情報群とを判定し、それらを表す判定結果を出力するステップと、前記判定結果が少なくとも前記描画入力座標情報群を表している場合、前記描画入力座標情報群に基づいて、前記表示部に対して前記記入者により入力された情報を表す描画情報を生成するステップと、前記表示部の表示領域のうちの、前記描画入力座標情報群の座標を含む記入表示領域に前記描画情報を表示するステップと、前記記入者の入力が終了してから所定時間内に前記記入者の入力がある場合、前記複数のセンサのうちの、前記記入者の入力を検出したセンサ群の位置の座標をそれぞれ表す第２入力座標情報群を出力するステップと、前記第２入力座標情報群の座標を含む消去対象領域が前記記入表示領域の少なくとも一部に重なっている場合、前記記入表示領域に表示された前記描画情報のうちの、前記消去対象領域に表示された描画情報を消去するステップと、を具備することを特徴としてもよい。
【０１３２】
本実施形態の第７の要旨では、表示部と前記表示部に複数配置されたセンサとを有する装置を用いた入力表示方法であって、前記複数のセンサのうちの、記入者の入力を検出したセンサ群の位置の座標をそれぞれ表す第１入力座標情報群を出力するステップと、前記第１入力座標情報群の中から、その座標により形成される形状がペン先または前記記入者の指先を表す描画入力座標情報群と、その座標により形成される形状が前記記入者の手つきを表す手つき入力座標情報群とを判定し、それらを表す第１判定結果を出力するステップと、前記第１判定結果が前記描画入力座標情報群と前記手つき入力座標情報群との両方を表している場合、前記描画入力座標情報群に基づいて、前記表示部に対して前記記入者により入力された情報を表す描画情報を生成するステップと、前記表示部の表示領域のうちの、前記描画入力座標情報群の座標を含む記入表示領域に前記描画情報を表示するステップと、前記記入者の入力が終了してから所定時間内に前記記入者の入力がある場合、前記複数のセンサのうちの、前記記入者の入力を検出したセンサ群の位置の座標をそれぞれ表す第２入力座標情報群を出力するステップと、前記第２入力座標情報群の中から、その座標により形成される形状がペン先または前記記入者の指先を表す消去入力座標情報群と、前記手つき入力座標情報群とを判定し、それらを表す第２判定結果を出力するステップと、前記第２判定結果が前記手つき入力座標情報群を表さずに前記消去入力座標情報群のみ表している場合、前記記入表示領域に表示された前記描画情報のうちの、前記消去入力座標情報群の座標を含む消去対象領域に表示された描画情報を消去するステップと、を具備することを特徴としてもよい。
【符号の説明】
【０１３３】
１  …  入力表示装置、
２  …  表示装置、
３  …  記憶装置、
４  …  制御装置、
１１  …  表示部（液晶パネル）、
１２  …  センサ、
２０  …  表示領域、
２１  …  記入表示領域、
２１ａ  …  直近記入表示領域、
２２  …  消去対象領域、
２２ａ  …  絞込消去対象領域
２３  …  タッチ領域、
２４  …  直近入力座標、
２５  …  外接矩形領域、
２６  …  外接矩形領域、
２７  …  消去対象領域、
４１  …  センサ駆動部、
４２  …  入力座標検知部、
４３  …  形状判定部、
４４  …  動作モード切替処理部、
４５  …  描画情報生成部、
４６  …  表示制御部、
４７  …  タッチ認識処理部、
４７ａ  …  消去入力処理部、
４８  …  消去モード移行処理部、
４９  …  消去制御部、
５１  …  第１形状判定部、
５２  …  第２形状判定部、
１００  …  描画情報、
１０１  …  描画情報、
１０２  …  描画情報、
１０３  …  描画情報、
２００  …  記入者、
２０１  …  ペン先、
２０２  …  手つき、
２０３  …  指先
【図１】
2020024766.tif 000003
【図２】
2020024766.tif 000004
【図３】
2020024766.tif 000005
【図４】
2020024766.tif 000006
【図５】
2020024766.tif 000007
【図６】
2020024766.tif 000008
【図７】
2020024766.tif 000009
【図８】
2020024766.tif 000010
【図９】
2020024766.tif 000011
【図１０】
2020024766.tif 000012
【図１１】
2020024766.tif 000013
【図１２】
2020024766.tif 000014
【図１３】
2020024766.tif 000015
【図１４】
2020024766.tif 000016
【図１５】
2020024766.tif 000017
【図１６】
2020024766.tif 000018
【図１７】
2020024766.tif 000019
【図１８】
2020024766.tif 000020
【図１９】
2020024766.tif 000021
【図２０】
2020024766.tif 000022
【図２１】
2020024766.tif 000023
【図２２】
2020024766.tif 000024
【図２３】
2020024766.tif 000025
【図２４】
2020024766.tif 000026
【図２５】
2020024766.tif 000027